(57)【要約】【課題】電気ヒータを用いて加熱器によってガスと同様の熱効率で調理することができ、安全性に優れた石製鉢用加熱調理器を提供することにある。【解決手段】石製鉢２０の内部にご飯を入れ、このご飯の上に味付けした肉、野菜等の具を盛り付けた状態で、前記石製鉢２０を加熱調理台に載せて加熱調理する石製鉢用加熱調理器において、調理器本体１１と、この調理器本体１１の内部に設けられた電気ヒータ１６からなる加熱器１７と、この加熱器１７の上部に固定され前記石製鉢２０を上部から載置できるように上部開口の湾状に形成された熱伝導受け皿１９とを具備したことを特徴とする。【選択図】  図１
2005185530.tif 000002
【特許請求の範囲】
【請求項１】
石製鉢の内部にご飯を入れ、このご飯の上に味付けした肉、野菜等の具を盛り付けた状態で、前記石製鉢を加熱調理台に載せて加熱調理する石製鉢用加熱調理器において、
調理器本体と、この調理器本体の内部に設けられた電気ヒータからなる加熱器と、この加熱器の上部に固定され前記石製鉢を上部から載置できるように上部開口の湾状に形成された熱伝導受け皿とを具備したことを特徴とする石製鉢用加熱調理器。
【請求項２】
前記熱伝導受け皿は、前記石製鉢の底面と接触する底部と、前記石製鉢の外周面との間に隙間からなる熱上昇空間を構成する内周部とから構成されていることを特徴とする請求項１記載の石製鉢用加熱調理器。
【発明の詳細な説明】
【技術分野】
【０００１】
この発明は、石製鉢の内部にご飯を入れ、このご飯の上に味付けした肉、野菜等の具を盛り付けた状態で、前記石製鉢を加熱調理台に載せて加熱調理する石製鉢用加熱調理器に関する。
【背景技術】
【０００２】
韓国料理の中で、石焼ビビンパと称して好まれている料理は、石製鉢の内部にご飯を入れ、このご飯の上に味付けした肉、野菜等の具を盛り付けた状態で、石製鉢を加熱調理台に載せて加熱調理している。この石製鉢用加熱調理器は、加熱器としてガスコンロが用いられている。つまり、石製鉢を直接ガスコンロに載せて加熱調理している。
【０００３】
ガスコンロは、燃焼時に炎が上向きであるが、石製鉢をガスコンロに載せたとき、炎が石製鉢の底部から外周面に向かって石製鉢を包むように上昇して石製鉢の底部から外周面のほぼ全体を加熱することができ、熱効率が良く、短時間で調理できる。
【発明の開示】
【発明が解決しようとする課題】
【０００４】
しかしながら、燃料としてガスを使用することを禁止している場所が少なくない。例えば、デパートや駅ビル等の商品売り場、地下レストラン街のような繁華街においては、調理する燃料としてガスを使用することは禁止している。従って、例えば、石製鉢を使用して石焼ビビンパと称する料理を調理しようとしても、ガスコンロは使用できない。
【０００５】
この発明は、前記事情に着目してなされたもので、その目的とするところは、電気ヒータを用いて加熱器によってガスと同様の熱効率で調理することができ、安全性に優れた石製鉢用加熱調理器を提供することにある。
【課題を解決するための手段】
【０００６】
この発明は、前記目的を解決するために、請求項１は、石製鉢の内部にご飯を入れ、このご飯の上に味付けした肉、野菜等の具を盛り付けた状態で、前記石製鉢を加熱調理台に載せて加熱調理する石製鉢用加熱調理器において、調理器本体と、この調理器本体の内部に設けられた電気ヒータからなる加熱器と、この加熱器の上部に固定され前記石製鉢を上部から載置できるように上部開口の湾状に形成された熱伝導受け皿とを具備したことを特徴とする。
【０００７】
請求項２は、請求項1の前記熱伝導受け皿は、前記石製鉢の底面と接触する底部と、前記石製鉢の外周面との間に隙間からなる熱上昇空間を構成する内周部とから構成されていることを特徴とする。
【発明の効果】
【０００８】
この発明によれば、ガスと同様の熱効率で調理することができ、また、操作つまみの操作により予熱、本加熱の温度設定が的確に行えるとともに、安全性に優れた石製鉢用加熱調理器を提供できる。
【発明を実施するための最良の形態】
【０００９】
以下、この発明の実施の形態を図面に基づいて説明する。
【００１０】
図１は石製鉢用加熱調理器の縦断側面図、図２は石製鉢用加熱調理器の斜視図である。図１及び図２に示すように、調理器本体１１は、金属材料、例えばステンレスプレートによって矩形ボックス形状に形成されている。調理器本体１１の上面１１ａには複数個、例えば４個、６個のコンロ１２が設けられ、前面１１ｂにはコンロ１２を操作する操作つまみ１３を有する操作盤１４に形成されている。
【００１１】
コンロ１２について説明すると、調理器本体１１の上面１１aには上面開口の凹陥部１５が設けられ、この凹陥部１５の内底部には電気ヒータ１６を有する加熱器１７が設けられている。電気ヒータ１６は、例えば８００〜１０００Ｗのシーズヒータであり、操作つまみ１３によって任意の温度に設定できるようになっている。従って、電気ヒータ１６は操作つまみ１３によって制御される温度調節器（図示しない）を介して電気コード１８に接続されている。
【００１２】
加熱器１７の上面には熱伝導受け皿１９がねじ等によって固定されている。この熱伝導受け皿１９は、陶器等の耐熱性に優れた材料によって上部開口の湾状に形成されている。そして、この熱伝導受け皿１９の内部には石製鉢２０を上部から着脱可能に収納できるようになっている。熱伝導受け皿１９は石製鉢２０の直径よりやや大径に形成された内周面を有している。
【００１３】
従って、熱伝導受け皿１９は、石製鉢２０の底面と接触する底部１９ａと、石製鉢２０の外周面２０ａとの間に隙間からなる熱上昇空間２１を構成する内周部１９ｂとから構成されている。すなわち、石製鉢２０はその底部が加熱器１７の電気ヒータ１６によって直接加熱されるとともに、外周面２０ａが熱上昇空間２１を上昇する電気ヒータ１６からの熱気が矢印のように上昇して石製鉢２０を包むことになり、石製鉢２０のほぼ全体が加熱されることになる。
【００１４】
また、調理器本体１１の上面１１aに設けられた凹陥部１５の内周面には保護筒２２が設けられており、この保護筒２２には複数個の換気口２３が設けられている。この保護筒２２の上端は石製鉢２０の開口縁より低く形成され、石製鉢２０を熱伝導受け皿１９に対して載置したり、持ち上げる際に邪魔にならないよう形成されている。
【００１５】
次に、石製鉢用加熱調理器の使用例について説明する。石焼ビビンパを調理する場合、石製鉢２０の内部にご飯を入れ、このご飯の上に味付けした肉、野菜等の具を盛り付ける。この石製鉢２０を熱伝導受け皿１９の内部に載置すると、石製鉢２０の底面が熱伝導受け皿１９の底部１９ａと接触し、石製鉢２０の外周面２０ａと熱伝導受け皿１９の内周面１９ｂとの間に隙間からなる熱上昇空間２１が形成される。
【００１６】
この状態で、電気ヒータ１６に通電するとともに、操作つまみ１３によって加熱温度を設定すると、電気ヒータ１６から発生する熱によって石製鉢２０が加熱され、同時に石製鉢２０の内部のご飯及び具が加熱されて調理される。このとき、石製鉢２０はその底部が加熱器１７の電気ヒータ１６によって直接加熱されるとともに、外周面２０ａが熱上昇空間２１を上昇する電気ヒータ１６からの熱気が矢印のように上昇して石製鉢２０を包むことになり、石製鉢２０のほぼ全体が加熱されることになる。
【００１７】
従って、熱効率が高く、ガスとほぼ同様の加熱時間で調理できる。また、石製鉢２０に材料を盛り付ける前に石製鉢２０を予熱することにより、さらに短時間に調理できる。さらに、操作つまみ１３の操作により予熱、本加熱の温度設定が的確に行えるる。また、ガスを使用しないことから、ガス使用が禁じられているデパートや駅ビル等の商品売り場、地下レストラン街のような繁華街においても使用できる。
【００１８】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組合わせてもよい。
【図面の簡単な説明】
【００１９】
【図１】この発明の第１の実施形態を示し、石製鉢用加熱調理器の縦断側面図。
【図２】同実施形態の石製鉢用加熱調理器の斜視図。
【符号の説明】
【００２０】
１１…調理器本体、１６…電気ヒータ、１７…加熱器、１９…熱伝導受け皿、２０…石製鉢、２１…熱上昇空間
【図１】
2005185530.tif 000003
【図２】
2005185530.tif 000004